(57)【要約】【課題】  Ｘ線検出器内部の信号の送受信を無線形式で行う。【解決手段】  上記課題を解決するために、実施形態のＸ線ＣＴ装置は、Ｘ線照射部から照射されたＸ線を検出し、アナログ信号を生成する検出部と、前記検出部で生成されたアナログ信号に基づいてデジタル信号を生成するＡ／Ｄ変換部と、前記Ａ／Ｄ変換部で生成されたデジタル信号をデータ送信部に送信する伝送制御部と、前記検出部と前記Ａ／Ｄ変換部の間、前記Ａ／Ｄ変換部と前記伝送制御部の間、前記伝送制御部と前記データ送信部の間のうち少なくとも一部における信号の送受信を無線で行う無線通信手段と、を具備するＸ線検出器を備える。【選択図】図３
2014230600.tif 000002
【特許請求の範囲】
【請求項１】
Ｘ線照射部から照射されたＸ線を検出し、アナログ信号を生成する検出部と、
前記検出部で生成されたアナログ信号に基づいてデジタル信号を生成するＡ／Ｄ変換部と、
前記Ａ／Ｄ変換部で生成されたデジタル信号をデータ送信部に送信する伝送制御部と、
前記検出部と前記Ａ／Ｄ変換部の間、前記Ａ／Ｄ変換部と前記伝送制御部の間、前記伝送制御部と前記データ送信部の間のうち少なくとも一部における信号の送受信を無線で行う無線通信手段と、
を具備するＸ線検出器を備えたＸ線ＣＴ装置。
【請求項２】
前記Ｘ線検出器は、前記検出部と前記Ａ／Ｄ変換部の間、前記Ａ／Ｄ変換部と前記伝送制御部の間、前記伝送制御部と前記データ送信部の間のうち少なくとも一部における電力の供給を無線で行う無線電力供給手段を備える請求項１に記載のＸ線ＣＴ装置。
【請求項３】
前記無線通信手段は、少なくとも前記伝送制御部と前記データ送信部の間における信号の送受信を無線で行う請求項１又は２に記載のＸ線ＣＴ装置。
【請求項４】
前記無線電力供給手段は、少なくとも前記伝送制御部と前記データ送信部の間における電力の供給を無線で行う請求項１乃至３のうちいずれか一つに記載のＸ線ＣＴ装置。
【請求項５】
Ｘ線照射部から照射されたＸ線を検出し、アナログ信号を生成する検出部と、
前記検出部で生成されたアナログ信号に基づいてデジタル信号を生成するＡ／Ｄ変換部と、
前記Ａ／Ｄ変換部で生成されたデジタル信号をデータ送信部に送信する伝送制御部と、
前記検出部と前記Ａ／Ｄ変換部の間、前記Ａ／Ｄ変換部と前記伝送制御部の間、前記伝送制御部と前記データ送信部の間のうち少なくとも一部における信号の送受信を無線で行う無線通信手段と、
を具備するＸ線ＣＴ装置用Ｘ線検出器。
【請求項６】
前記検出部と前記Ａ／Ｄ変換部の間、前記Ａ／Ｄ変換部と前記伝送制御部の間、前記伝送制御部と前記データ送信部の間のうち少なくとも一部における電力の供給を無線で行う無線電力供給手段を備える請求項５に記載のＸ線ＣＴ装置用Ｘ線検出器。
【請求項７】
前記無線通信手段は、少なくとも前記伝送制御部と前記データ送信部の間における信号の送受信を無線で行う請求項５又は６に記載のＸ線ＣＴ装置用Ｘ線検出器。
【請求項８】
前記無線電力供給手段は、少なくとも前記伝送制御部と前記データ送信部の間における電力の供給を無線で行う請求項５乃至７のうちいずれか一つに記載のＸ線ＣＴ装置用Ｘ線検出器。
【発明の詳細な説明】
【技術分野】
【０００１】
本発明の実施形態は、Ｘ線ＣＴ装置およびＸ線ＣＴ装置用Ｘ線検出器に関する。
【背景技術】
【０００２】
Ｘ線ＣＴ装置で使用されるＸ線検出器に、ＤＡＳ（Ｄａｔａ  Ａｃｑｕｉｓｉｔｉｏｎ  Ｓｙｓｔｅｍ）と呼ばれるデータ収集システムを備えたＸ線検出器がある。通常、ＤＡＳを備えたＸ線検出器では、例えば検出したＸ線に基づくアナログ信号を検出素子単位で増幅、デジタル信号に変換し、多数の当該検出素子から成るモジュール単位で当該デジタル信号の伝達を制御する。この際、Ｘ線検出器内部のデータ転送は、ＦＰＣ（Ｆｌｅｘｉｂｌｅ  Ｐｒｉｎｔｅｄ  Ｃｉｒｃｕｉｔｓ）やコネクタなどを用いた有線形式で行われる。
【先行技術文献】
【特許文献】
【０００３】
【特許文献１】特開２０１１−２２６９０２号公報
【発明の概要】
【発明が解決しようとする課題】
【０００４】
本発明が解決しようとする課題は、Ｘ線検出器内部の信号の送受信を無線形式で行うことである。
【課題を解決するための手段】
【０００５】
上記課題を解決するために、実施形態のＸ線ＣＴ装置は、Ｘ線照射部から照射されたＸ線を検出し、アナログ信号を生成する検出部と、前記検出部で生成されたアナログ信号に基づいてデジタル信号を生成するＡ／Ｄ変換部と、前記Ａ／Ｄ変換部で生成されたデジタル信号をデータ送信部に送信する伝送制御部と、前記検出部と前記Ａ／Ｄ変換部の間、前記Ａ／Ｄ変換部と前記伝送制御部の間、前記伝送制御部と前記データ送信部の間のうち少なくとも一部における信号の送受信を無線で行う無線通信手段と、を具備するＸ線検出器を備える。
【図面の簡単な説明】
【０００６】
【図１】実施形態におけるＸ線ＣＴ装置の構成を示すブロック図。
【図２】実施形態におけるＸ線ＣＴ装置の斜視図。
【図３】実施形態におけるＸ線検出器の内部構造を示す概略図１。
【図４】実施形態におけるＸ線検出器の内部構造を示す概略図２。
【図５】実施形態におけるＸ線ＣＴ装置の動作を示すフロー図。
【図６】従来のＸ線検出器の内部構造を示す概略図。
【発明を実施するための形態】
【０００７】
以下、本発明の実施形態について図面を参照しながら説明する。
【０００８】
図１は、本実施形態におけるＸ線ＣＴ装置１のブロック図である。
【０００９】
図１に示す通り、本実施形態におけるＸ線ＣＴ装置１は、架台１ａ、コンソール１ｂ、寝台１６を備える。架台１ａは、回転部１ｃ、固定部１ｄを備える。固定部１ｄは、例えば図示しない外部電源と接続されており、スリップリングなどの電力／信号供給手段を介して、回転部１ｃの各構成に電力や信号を供給する。回転部１ｃは、Ｘ線照射部４、Ｘ線検出器５、データ送信部１０を備える。固定部１ｄは、架台制御伝送部３、データ受信部１１、回転部駆動機構１７を備える。コンソール１ｂは、システム制御部２、画像再構成部１２、画像記憶部１３、表示部１４、入力部１５を備える。
【００１０】
図２は、本実施形態におけるＸ線ＣＴ装置１の斜視図である。なお、図２に示すように、寝台１６に載置される患者の体軸方向に延びる軸をＺ軸、鉛直上下方向に延びる軸をＹ軸、Ｚ軸とＹ軸に対して垂直な方向に延びる軸をＸ軸と定義し、以下説明する。
【００１１】
システム制御部２は、架台制御伝送部３に対して、Ｘ線照射部４、伝送制御部９、データ受信部１１、回転部駆動機構１７の制御内容を通知する。システム制御部２は、所定のタイミングで所定の入力画面を表示部１４に表示させる。システム制御部２は、入力部１５を介したオペレータからの指示に従って、あるいは所定のタイミングで、画像記憶部１３に記憶された画像データを表示部１４に表示させる。システム制御部２は、伝送制御部９の制御内容を画再構成部１２に通知する。システム制御部２は、入力部１５を介したオペレータからの指示に従って寝台１６を動作させ、載置された患者の位置を移動させる。
【００１２】
架台制御伝送部３は、システム制御部２からの通知をＸ線照射部４、伝送制御部９、データ受信部１１、回転部駆動機構１７に伝送する。
【００１３】
Ｘ線照射部４は、架台制御伝送部３から伝送された制御内容に従って、所定範囲に所定強度でＸ線を照射する。Ｘ線照射部４は、架台制御伝送部３から伝送された制御内容に従って、Ｘ線の照射を停止する。
【００１４】
Ｘ線検出器５は、検出部６、信号増幅部７、Ａｎａｌｏｇ／Ｄｉｇｉｔａｌ変換部（Ａ／Ｄ変換部８）、伝送制御部９を備える。Ｘ線検出器５は、Ｘ線照射部４から照射され、寝台１３に載置された患者を透過したＸ線を検出部６で検出する。検出部６は、検出したＸ線の強度に基づくアナログ信号を生成し、信号増幅部７に当該アナログ信号を送信する。信号増幅部７は、検出部６から受信したアナログ信号を増幅させ、Ａ／Ｄ変換部８に送信する。Ａ／Ｄ変換部８は、信号増幅部７から受信した増幅後のアナログ信号をデジタル信号に変換し、伝送制御部９に当該デジタル信号を送信する。伝送制御部９は、Ａ／Ｄ変換部８から受信したデジタル信号を、架台制御伝送部３から伝送された制御内容に従ってデータ送信部１０に送信する。なお、Ｘ線検出器５の構成についての詳細は後述する。
【００１５】
データ送信部１０は、伝送制御部９から受信したデジタル信号を、例えば光通信などの通信手段を用いて、データ受信部１１に送信する。
【００１６】
データ受信部１１は、架台制御伝送部３からの指示に従って、データ送信部１０から受信したデジタル信号をコンソール１ｂの画像再構成部１２に送信する。
【００１７】
画像再構成部１２は、システム制御部２からの指示に従って、データ受信部１１から受信したデジタル信号に基づく画像データを生成し、画像記憶部１３に当該画像データを送信する。
【００１８】
画像記憶部１３は、画像再構成部１３から受信した画像データを記憶する。
【００１９】
表示部１４は、システム制御部２からの指示に従って、画像記憶部１３に記憶された画像データを表示する。表示部１４は、システム制御部２からの指示に従って、所定の入力画面を表示する。
【００２０】
入力部１５は、例えばマウスやトラックボール、キーボードを備えており、オペレータによる入力に従って、システム制御部２に指示を出す。
【００２１】
寝台１６は、システム制御部２からの指示に従って動作し、載置された患者の位置をＸ軸の方向、Ｙ軸の方向、Ｚ軸の方向に移動させる。
【００２２】
回転部駆動機構１７は、架台制御伝送部３からの指示に従って動作し、回転部１ｃを回転させる。回転部駆動機構１７は、架台制御伝送部３からの指示に従って動作し、回転部１ｃの回転を停止させる。
【００２３】
次に、Ｘ線検出器５の構成の詳細を説明する。
【００２４】
図３と図４は、本実施形態におけるＸ線検出器５の内部構造を示す概略図である。
【００２５】
図３と図４の何れかに示すように、Ｘ線検出器５は、シンチレータ２１、フォトダイオードチップ２２、ＤＡＳチップ２３、基板２４、データ転送用電波送信部２５、シールド２６、電力供給用電波受信部２７、蓄電池２８、バックプレーン２９、データ転送用電波受信部３０、電力供給用電波送信部３１、位置決めピン３２を備える。Ｘ線検出器５は、製造時やメンテナンス時において、筐体２０の内部に例えば矢印Ａの示す方向で挿入され、設置される。シンチレータ２１とフォトダイオード２２は、例えば図１における検出部６に相当する。ＤＡＳチップ２３は、例えば図１における信号増幅部７、Ａ／Ｄ変換部８、伝送制御部９に相当する。
【００２６】
図３に示すように、基板２４は、データ転送用電波送信部２５、シールド２６、電力供給用電波受信部２７、蓄電池２８を支持する。また、バックプレーン３２は、データ転送用電波受信部３０、電力供給用電波送信部３１、位置決めピン３２を支持しており、位置決めピン３２は、基板２４に設けられた凹部分に挿入された状態で固定される。位置決めピン３２が当該凹部分に位置するとき、データ転送用電波送信部２５とデータ転送用電波受信部３０、電力供給用電波受信部２７と電力供給用電波送信部３１は、それぞれ対向して位置する。なお、データ転送用電波送信部２５とデータ転送用電波受信部３０、電力供給用電波受信部２７と電力供給用電波送信部３１のそれぞれの距離は、例えば位置決めピン３２の長さや、当該凹部分の深さで決定される。
【００２７】
Ｘ線検出器５は、シンチレータ２１、フォトダイオードチップ２２、ＤＡＳチップ２３、基板２４、データ転送用電波送信部２５、シールド２６、電力供給用電波受信部２７、蓄電池２８、データ転送用電波受信部３０、電力供給用電波送信部３１、位置決めピン３２を、例えば図４に示すようなモジュール４１単位で備える。本実施形態において、Ｘ線検出器５は、例えば列方向に４個ずつ、チャンネル方向に３８個ずつモジュール４１を備える。なお、当該列方向は図２におけるＺ軸方向に相当し、チャンネル方向はＸ線検出器５の検出面の湾曲方向に相当する。
【００２８】
Ｘ線照射部４から照射され寝台１６に載置された患者を透過したＸ線は、図示しないコリメータによってコリメートされた後、シンチレータ２１に入射する。
【００２９】
シンチレータ２１は、入射したＸ線を光に変換する。シンチレータ２１で発生した光は、フォトダイオード２２に入射される。
【００３０】
フォトダイオード２２は、例えば上述の列方向に６４個ずつ、上述のチャンネル方向２４個ずつ素子を有する。フォトダイオード２２は、入射した光に基づいて、当該素子単位でアナログ信号を生成する。フォトダイオード２２は、生成したアナログ信号を、素子単位で区別して、ＤＡＳチップ２３に送信する。
【００３１】
ＤＡＳチップ２３は、フォトダイオード２２から受信したアナログ信号を、素子単位で増幅させる。ＤＡＳチップ２３は、増幅したアナログ信号を、素子単位でデジタル信号に変換する。ＤＡＳチップ２３は、架台制御伝送部３から伝送された制御内容に従って、当該デジタル信号をデータ転送用電波送信部２５に送信する。
【００３２】
データ転送用電波送信部２５は、無線通信手段であり、蓄電池２８に蓄積された電気エネルギーを用いて、ＤＡＳチップ２３から受信したデジタル信号を所定の周波数の電波に変換し、データ転送用電波受信部３０に向けて、例えば各モジュール４１の有する素子の列単位でシリアルに当該電波を送信する。
【００３３】
シールド２６は、例えば電波遮断機能を有し、それぞれ対応関係にあるデータ転送用電波送信部２５とデータ伝送用電波受信部３０の間でのみ電波の送受信が行われ、他のモジュール４１側へ影響しないように、データ転送用電波送信部２５から送信された電波を誘導する。ここで対応関係とは、同一モジュール４１が有する構成同士を指す。シールド２６は、それぞれ対応関係にある電力供給用電波送信部２と電力供給用電波受信部２７の間でのみ電波の送受信が行われ、他のモジュール４１側へ影響しないように、電力供給用電波送信部３１から送信された電波を誘導する。
【００３４】
データ転送用電波受信部３０は、無線通信手段であり、データ転送用電波送信部２５から送信され、シールド２６によって誘導された電波に基づくデジタル信号を生成し、データ送信部１０に送信する。
【００３５】
電力供給用電波送信部３１は、無線電力供給手段であり、固定部１ｄから供給された電流を電波に変換し、電力供給用電波受信部２７に向けて当該電波を送信する。
【００３６】
電力供給用電波受信部２７は、無線電力供給手段であり、電力供給用電波送信部３１から送信されシールド２６によって誘導された電波を電流に変換し、変換した電流を蓄電池に送信する。
【００３７】
蓄電池２８は、電力供給用電波受信部２７から受信した電流によって充電され、電気エネルギーを蓄える。蓄電池２８は、データ転送用電波送信部２５がデジタル信号を電波に変換するとき、データ転送用電波送信部２５に対して、蓄積した電気エネルギーを供給する。
【００３８】
図５は、Ｘ線ＣＴ装置１の動作を示すフロー図である。なお、Ｘ線検出器５に係るフローの説明は、図３および図４に基づく詳細を用いて行う。
【００３９】
ステップＳ１において、Ｘ線ＣＴ装置１の動作を開始する。Ｘ線ＣＴ装置１の動作が開始すると、固定部１ｄは、外部電源から供給される電力に基づいて、回転部１ｃのＸ線検出器５が有する電力供給用電波送信部３１に対して電流を供給する。電力供給用電波送信部３１は、供給された電流を電波に変換し、電力供給用電波受信部２７に向けて変換した電波を送信する。蓄電池２８は、電力供給用電波受信部２７から受信した電流によって充電され、電気エネルギーを蓄える。一方で、Ｘ線ＣＴ装置１が起動するとステップＳ２に移行する。
【００４０】
ステップＳ２において、システム制御部２は、所定の入力画面を表示部１４に表示させる。表示部１４はシステム制御部２からの指示に従って、所定の入力画面を表示部１４に表示する。なお、ここでの所定の入力画面とは、例えば、撮像に係るＸ線の強度、Ｘ線の照射範囲、Ｘ線の照射時間、回転部１ｃの回転速度などを設定するための入力画面である。オペレータは、入力部１５を介してこの入力画面に入力する。所定の入力画面への入力が完了すると、オペレータは患者を寝台１６に載置させ、当該患者の位置を撮像位置まで移動させるように入力部１５に入力する。システム制御部２は、入力部１５を介したオペレータからの指示に従って、患者の位置を撮像位置まで移動させる。オペレータの入力によって患者の位置が撮影位置まで移動すると、ステップＳ３に移行する。
【００４１】
ステップＳ３において、オペレータは、入力部１５を介して、システム制御部２に回転部１ｃの回転を指示する。システム制御部２は、入力部１５を介したオペレータからの指示に従って、架台制御伝送部３に回転部駆動機構１７の制御内容を通知する。架台制御伝送部３は、システム制御部２から通知された制御内容を回転部駆動機構１７に伝送する。回転部駆動機構１７は、架台制御伝送部３から伝送された制御内容に従って、回転部１ｃをステップＳ２における設定に基づく速度まで回転させる。回転部１ｃの回転速度がステップＳ２における設定に基づく速度になると、ステップＳ４に移行する。
【００４２】
ステップＳ４において、システム制御部２は、架台制御伝送部３に対して、ステップＳ２における設定に基づくＸ線照射部４の制御内容を通知する。架台制御伝送部３は、システム制御部２からの通知をＸ線照射部４に伝送する。Ｘ線照射部４は、架台制御伝送部３から伝送された制御内容に基づいてＸ線の照射範囲に設定し、架台制御伝送部３から伝送された制御内容に基づくＸ線の強度でＸ線を照射する。Ｘ線照射部４から照射され寝台１６に載置された患者を透過したＸ線は、図示しないコリメータによってコリメートされた後、シンチレータ２１に入射する。シンチレータ２１は、入射したＸ線を光に変換する。シンチレータ２１で発生した光は、フォトダイオード２２に入射する。フォトダイオード２２は、入射した光に基づいて、素子単位でアナログ信号を生成し、それぞれ区別してＤＡＳチップ２３に送信する。ＤＡＳチップ２３は、フォトダイオード２２から受信したアナログ信号を、素子単位で増幅させ、素子単位でデジタル信号に変換する。また、ＤＡＳチップ２３は、架台制御伝送部３から伝送される制御内容に従って、当該デジタル信号をデータ転送用電波送信部２５に送信する。データ転送用電波送信部２５は、ステップＳ１から蓄電池２８に蓄積されてきた電気エネルギーを用いて、ＤＡＳチップ２３から受信したデジタル信号を所定の周波数の電波に変換し、データ転送用電波受信部３０に向けて当該電波を送信する。シールド２６は、それぞれ対応関係にあるデータ転送用電波送信部２５とデータ伝送用電波受信部３０の間でのみ電波の送受信が行われるように、データ転送用電波送信部２５から送信された電波を誘導する。データ転送用電波受信部３０は、データ転送用電波送信部２５から送信され、シールド２６によって誘導された電波に基づくデジタル信号を生成し、データ送信部１０に送信する。データ送信部１０は、光通信などの通信手段を用いて、データ転送用電波受信部３０から受信したデジタル信号をデータ受信部１１に送信する。データ受信部１１は、架台制御伝送部３からの指示に従って、データ送信部１０から受信したデジタル信号をコンソール１ｂの画像再構成部１２に送信する。Ｘ線の照射を開始してから、ステップＳ２における設定に基づくＸ線の照射時間が経過するとステップＳ５に移行する。
【００４３】
ステップＳ５において、システム制御部２は、Ｘ線の照射を停止させる旨の制御内容を架台制御伝送部３に通知する。架台制御伝送部３は、システム制御部２からの通知をＸ線照射部４に伝送する。Ｘ線照射部４は、架台制御伝送部３から伝送された制御内容に指示に従って、Ｘ線の照射を停止する。Ｘ線の照射を終了させると、システム制御部２は、回転部１ｃの回転を停止させる旨の制御内容を架台制御伝送部３に通知する。架台制御伝送部３は、システム制御部２からの通知を回転部駆動機構１７に伝送する。回転部駆動機構１７は、架台制御伝送部３から伝送された制御内容に従って動作し、回転部１ｃの回転を停止させる。一方で、画像再構成部１２は、システム制御部２からの指示に従って、データ受信部１１から受信したデジタル信号に基づく画像データを生成し、画像記憶部１３に当該画像データを送信する。画像記憶部１３は、画像再構成部１３から受信した画像データを記憶する。システム制御部２は、画像記憶部１３に記憶された画像データを表示部１４に表示させる。１４は、システム制御部２からの指示に従って、画像記憶部１３に記憶された画像データを表示する。
【００４４】
ステップＳ６において、オペレータは表示部１４に表示された画像データを参照する。オペレータによる参照が終了すると、オペレータはＸ線ＣＴ装置１の動作を終了させる。
【００４５】
以上で説明したように、本実施形態におけるＸ線ＣＴ装置１は、Ｘ線検出器５内部における信号の伝送を無線形式で行う。
【００４６】
図６は、有線形式のみで信号の伝送を行う、従来のＸ線検出器の概略図である。
【００４７】
図６（ａ）に示すような従来のＸ線検出器では、例えばコネクタ上部３４は基板２４に、コネクタ下部３５はバックプレーン２９に固定されており、位置決めピン３２と基板２４の凹部分の位置が一致したときにのみコネクタ上部３４がコネクタ下部３５に接続される。コネクタ上部３４とコネクタ下部３５が接続されると、ＤＡＳチップ２３から送信されたデジタル信号は、コネクタ上部３４とコネクタ下部３５を経由し、データ送信部へ送信される。このような形式のＸ線検出器において、コネクタ上部３４とコネクタ下部３５は、例えば一つモジュールが有する素子の数に対応する複数の信号伝送用のピンを持っているため、例えば製造時やメンテナンス時において位置決めピン３２の位置が少しでもずれてしまうとコネクタ上部３４がコネクタ下部３５に接続できず、製品不良を起こしてしまう可能性がある。本実施形形態におけるＸ線ＣＴ装置１の場合、この部分における信号の伝送は無線で行われるため、位置決めピン３２の位置が多少ずれてしまったとしても信号の伝送は可能であり、不良を起こしにくい。
【００４８】
また、図６（ｂ）は、図６（ａ）を用いて説明した例とは別に、有線形式のみでデータ転送を行う従来のＸ線検出器の概略図である。図６に示すような従来のＸ線検出器では、例えばＦＰＣ３３の一方の端部は基板２４に固定されており、ＦＰＣ３３のもう一方の端部はコネクタ上部３４に固定される。また、コネクタ下部３５は、バックプレーン２９に固定される。ＤＡＳチップ２３から送信されたデジタル信号は、コネクタ上部３４とコネクタ下部３５が接続されると、ＦＰＣ３３、コネクタ上部３４、コネクタ下部３５を介して、データ伝送部に送信される。このような形式のＸ線検出器は、例えば製造時やメンテナンス時において、筐体２０の開口部側Ｂに位置するコネクタ上部３４とコネクタ下部３５は接続させ易いが、筐体２０の奥側Ｃに位置するコネクタ上部３４とコネクタ下部３５は接続させにくい。本実施形形態におけるＸ線ＣＴ装置１の場合、この部分における信号の伝送は無線で行われるため、位置決めピン３２の位置が多少ずれてしまったとしても信号の伝送は可能であり、不良を起こしにくい。本実施形形態におけるＸ線ＣＴ装置１の場合、この部分を物質的に接続させる必要が無いため、Ｘ線件検出器５の筐体２０への設置が簡便である。
【００４９】
また、Ｘ線ＣＴ装置の動作時において、ＦＰＣやコネクタの振動に基づくノイズも低減できる。
【００５０】
更に、Ｘ線検出器５の製造時やメンテナンス時において、モジュール４１をバックプレーン２９へ取り付ける際の作業性を大幅に向上できる。
【００５１】
本実施形態では、各データ転送用電波送信部２５が同一の周波数の電波を送受信する場合について説明したが、例えば隣合うデータ転送用電波送信部２５同士で周波数を変えて信号を送信し、データ転送用電波受信部３０は対応関係にある転送用電波送信部２５が送信した周波数でのみ信号を受信するように設定しても良い。この場合、対応関係にないデータ転送用電波送信部２５とデータ転送用電波受信部３０での信号の送受信が誤って行われることを防止できる。
【００５２】
本実施形態では、各データ転送用電波送信部２５が同一のタイミングで電波を送受信する場合について説明したが、例えば隣合うデータ転送用電波送信部２５同士でタイミングを変えて信号を送信し、データ転送用電波受信部３０は対応関係にある転送用電波送信部２５が送信したタイミングでのみ信号を受信するように設定しても良い。この場合、対応関係にないデータ転送用電波送信部２５とデータ転送用電波受信部３０での信号の送受信が誤って行われることを防止できる。
【００５３】
本実施形態では、デジタル信号を電波に変換し、無線形式で送受信する場合について説明したが、例えば、検出部６と信号増幅部７、あるいは、信号増幅部７とＡ／Ｄ変換部８の間におけるアナログ信号を電波に変換し、無線形式で送受信を行っても良い。
【００５４】
本実施形態では、電流を電波に変換し、その電波の送受信に基づいて電力を供給する場合について説明したが、非接触電力伝送を用いたものであれば良い。この場合、例えば、電力供給用電波受信部３１と電力供給用電波送信部２７に相当する位置にそれぞれ設けたコイルによる電磁誘導を用いた方法で電力の供給を行っても良い。あるいは、電磁界の共鳴現象を利用した、所謂電磁界共鳴方式を用いて、電力を供給しても良い。
【００５５】
以上、本発明の実施形態を説明したが、これらの実施形態は例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５６】
１・・・Ｘ線ＣＴ装置
１ａ・・・架台
１ｂ・・・コンソール
１ｃ・・・回転部
１ｄ・・・固定部
２・・・システム制御部
３・・・架台制御伝送部
４・・・Ｘ線照射部
５・・・Ｘ線検出器
６・・・検出部
７・・・信号増幅部
８・・・Ａ／Ｄ変換部
９・・・伝送制御部
１０・・・データ送信部
１１・・・データ受信部
１２・・・画像再構成部
１３・・・画像記憶部
１４・・・表示部
１５・・・入力部
１６・・・寝台
１７・・・回転部駆動機構
２０・・・筐体
２１・・・シンチレータ
２２・・・フォトダイオードチップ
２３・・・ＤＡＳチップ
２４・・・基板
２５・・・データ転送用電波送信部
２６・・・シールド
２７・・・電力供給用電波受信部
２８・・・蓄電池
２９・・・バックプレーン
３０・・・データ転送用電波受信部
３１・・・電力供給用電波送信部
３２・・・位置決めピン
３３・・・ＦＰＣ
３４・・・コネクタ上部
３５・・・コネクタ下部
４１・・・モジュール
【図１】
2014230600.tif 000003
【図２】
2014230600.tif 000004
【図３】
2014230600.tif 000005
【図４】
2014230600.tif 000006
【図５】
2014230600.tif 000007
【図６】
2014230600.tif 000008